(57)【要約】      （修正有）【課題】ドライバーを手放した際に、落下しないようにする安全コードを提供する。【解決手段】筒状袋７の内側に弾性条を内装し、筒状袋の一端に、ドライバー１の軸に嵌装できるリング４を取り付けるとともに、他端にフック６を取り付ける。【選択図】図１
0003178847.tif 000002
【実用新案登録請求の範囲】
【請求項１】
筒状袋の内側に弾性条を内装し、前記筒状袋の一端に、ドライバーの軸に嵌装できるリングを取り付けると共に、他端にフックを取り付けたことを特徴とするドライバー用安全コード。
【請求項２】
織布よりなる筒状袋の内側にスプリング又はゴム条よりなる弾性条を内装し、前記筒状袋の一端に、ドライバーの軸に嵌装できるリングを取り付けると共に、他端にフックを取り付けたコードと、前記コードの下降防止用にドライバーに固定する止具とを組み合わせたことを特徴とするドライバー用安全コード。
【請求項３】
織布よりなる筒状袋の内側にスプリング又はゴム条を内装し、前記筒状袋の一端に、ドライバーの軸に嵌装できるリングを取り付けると共に、他端にフックを取り付けたコードの前記リングを、前記ドライバーに嵌装したことを特徴とする安全コード付きドライバー。
【請求項４】
織布よりなる筒状袋の内側にゴム条を内装し、前記筒状袋の一端に、ドライバーの軸に嵌装できるリングを取り付けると共に、他端にフックを取り付けたコードの前記リングをドライバーに嵌装し、該ドライバーの軸に前記リングの止具を固定したことを特徴とする安全コード付きドライバー。
【考案の詳細な説明】
【技術分野】
【０００１】
この考案は、ねじの締付け又はねじの脱抜に用いるドライバーを身体に装着し、又は使用する際に、ドライバーの落下を防止することを目的としたドライバー用安全コード及び安全コード付きドライバーに関する。
【背景技術】
【０００２】
従来ドライバーは、作業者の腰に取り付けたサックに収容して装着し、必要に応じてサックから取り出して使用し、不使用の際はサックに収容している。前記作業において、手が滑ったり、その他の理由によりドライバーを手放した場合には、落下して不慮の危害を生じるおそれがあった。
【先行技術文献】
【特許文献】
【０００３】
【特許文献１】特開２００４−１４８４０９号公報
【特許文献２】特開２００１−２７７１４４号公報
【考案の概要】
【考案が解決しようとする課題】
【０００４】
従来ドライバーの軸にリング部材を固定した発明が知られているが（特許文献１）、前記リングは特定のドライバー専用と考えられ、他のドライバーに応用することはできない。
【０００５】
また、リングをナットによって保持している提案もあるが（特許文献２）、ドライバーの軸へナットを螺合するねじ部が必要であり、ドライバー製造時にねじ部が加工されるものである。
【０００６】
然るにこの考案は、通常広く使用されているドライバーならば、何れのドライバーにも適用できるように改善したものである。
【０００７】
従来ドライバーは、作業者の腰ベルトに取り付けたサックから取り出して使用し（例えば、ねじの締付け又はねじの取り外し）、作業終了後サックに収容してから次の行動（例えば作業位置の移動）に移るのである。
【０００８】
ドライバーを使用しての作業中又はサックから出し入れする際に、手が滑り、ドライバーを手放すおそれがある。このような場合にドライバーは落下し、不慮の傷害を生じるおそれがあったので、ドライバーの落下を未然に防止する必要があった。
【課題を解決するための手段】
【０００９】
この考案は、前記のような不慮の事故に際して、ドライバーの落下による事故を未然に防止するための提案をするものである。即ち、不慮の事故は無意識下に生じるので、作業者の意思でなく、自動的かつ確実に作用しなければ事故を阻止することはできない。
【００１０】
そこでこの考案は、ドライバー使用の作業に支障なく、ドライバーの落下を未然に防止すべく、ドライバーに吊紐の一端に取り付けた止環を嵌装し、該吊紐の他端を作業者のベルトに固定することにより、ドライバーの落下を防止して、前記事故を未然に防止することに成功したのである。
【００１１】
即ち、前記ドライバーを固定した吊紐の他端は、作業者のベルトに常時取り付けられているので、ドライバーの落下は未然かつ確実に阻止される。
【００１２】
前記ドライバーの保持は、ドライバーの軸の中間部のテーパー部を利用し、該テーパー部へ吊紐付きの止環を回転自在に嵌装し、前記吊紐を身体に固定することにより目的を容易に達成した。即ち、ドライバー軸のテーパー部の下部へ止具を固着し、テーパー部の中間部へ止環を回転自在に嵌装し、前記止環へ安全コードの一端を取り付け、前記安全コードの他端へ、ベルトとの掛止フックを固定した安全コード付きドライバーとしたものである。前記のようなテーパー部の無いドライバーにあっては、ドライバーの軸部へ適宜取り付ける。
【００１３】
前記止具は、ドライバーに嵌装固定すべく、一側を連結し、他側に締付けねじを有する合成樹脂製の止具であって、締付けねじを回すことによりドライバーに固着し、又はドライバーから取り外すことができる。前記止具は、止環の脱抜を防止することを目的としているので、目的を達成することができれば、具体的構造に限定されるものではない。
【００１４】
前記安全コードは、従来使用されている伸縮自在のコードであって、各種構造があるが、何れもこの考案のドライバーに使用することができる。
【００１５】
この考案は、ドライバー軸の中間部のテーパー部へ遊嵌する止環に安全コードの一端を固定し、前記安全コードの他端にベルトとの掛止フックを固定したので、前記掛止フックをベルトに取り付けることにより、前記止環を介してドライバーはベルトへ取り付けられたことになる。
【００１６】
従って、作業者がドライバーを誤って放しても、ドライバーは安全コードを介してベルトに吊下されることになるので、ドライバーの落下は未然に防止される。従って、ドライバーの落下による事故が発生するおそれはない。
【００１７】
前記安全コードは、伸縮自在であって、常時比較的短く保持されており、作業の邪魔になるおそれがなく、かつドライバーを吊下するのに十分な強度を付与してある。
【００１８】
前記止環は、ドライバーのテーパー部に遊嵌している。即ち、ドライバーのテーパー部の小径部より大きく、大径部より小さい内径にしてあるので、止環は外れるおそれなく、ドライバーのテーパー部を遊動できるようになっている。従って、ドライバーの使用（例えば回転）に支障をきたすおそれはなく、自由に使用することができる。
【００１９】
前記のように、ドライバーは止環を付けたままサックに収容されているので、ドライバーをサックから取り出し、使用し、ついでサックに戻すなど一連の取扱い中に手が滑っても、前記のように事故を生じる余地は皆無であり、充分保持される。また、移動中にドライバーがサックから外れても落下するおそれはなく、常時安全に保持される。
【考案の効果】
【００２０】
この考案によれば、ドライバーが不慮の事故により作業者の手を放れた場合であっても、落下することなく紐で保持されるので、ドライバーの落下による事故を未然に防止することができる効果がある。
【００２１】
然して、前記ドライバーを手放す事故が作業者の意識下又は無意識下に起こっても、ドライバーは常時紐に取り付けられているので、ドライバーの落下は未然に防止され、落下に基づく障害その他の事故を未然に防止することができる効果がある。
【図面の簡単な説明】
【００２２】
【図１】（ａ）この考案のドライバーの一部を省略した正面図、（ｂ）同じく止具の平面拡大図、（ｃ）同じく止具の断面拡大図。
【図２】（ａ）同じく安全コードの一部を省略した平面図、（ｂ）同じく伸長時の一部拡大図、（ｃ）同じく縮小時の一部拡大図。
【図３】（ａ）同じくゴムテープを用いた実施例の伸長時の一部拡大図、（ｂ）同じく縮小時の一部拡大図。
【考案を実施するための形態】
【００２３】
この考案は、ドライバーの軸のテーパー部の下部等径部の上部に安全コードのリングの下降を阻止する止具を固定し、テーパー部に前記リングを遊嵌してなる安全コード付きドライバーである。
【００２４】
前記において、リング付き安全コードとリングの止具とはセットになっており、このセットによりドライバーへ安全コードを容易に取り付けることができる。
【００２５】
前記安全コードは、織布よりなる布製の筒状袋の中に、金属又は合成樹脂スプリングを内装してあり、スプリングを伸長すればコードが伸び、縮小すればコードが縮むことになる。前記スプリンングの伸縮は自由に選択できるが、ほぼ２倍の伸長が平均的である。
【実施例１】
【００２６】
この考案の実施例を図１、２に基づいて説明する。ドライバー１のテーパー軸部２の下部へ止具３を固定すると共に、テーパー軸部２へリング４を昇降自在に遊嵌する。
【００２７】
前記リング４は、伸縮自在のコード５の一端に取り付けてある。また、コード５の他端にはフック６が取り付けてある。
【００２８】
前記コード５は、細長い筒状袋７内へスプリング８を内装して構成されているので、自在に伸縮することができる。止具のスリーブ９に切れ目９ａがあれば、ねじ１０の締付けにより、スリーブ９を密に嵌着できる。また、コード５は、常時縮小しているが、引っ張りによって伸長することができる。例えば、縮小時に５０ｃｍの長さであれば、伸長時に１００ｃｍ程にすることができる。
【実施例２】
【００２９】
図３記載の実施例のコード５は、織成された筒状袋７内へ、ゴム条１１を内装して構成されている。ゴム条１１は、扁平なゴム帯よりなり、通常の平ゴムであるが、二条又は三条重ねて用いることができる。
【符号の説明】
【００３０】
１  ドライバー
２  テーパー軸部
３  止具
４  リング
５  コード
６  フック
【図１】
0003178847.tif 000003
【図２】
0003178847.tif 000004
【図３】
0003178847.tif 000005